(57)【要約】  本発明は、比較的簡易な構成で、スキミング用磁気ヘッドが取り付けられたか否かを適切に検知することが可能なカードリーダを提供することである。本発明に係るカードリーダ１は、カードに記録された磁気データの読取および／またはカードへの磁気データの記録を行う磁気ヘッド３と、カードが挿入される挿入口６が形成されるカード挿入部７と、カード挿入部７の前面側に金属材料を含む異物が取り付けられたことを検知するための金属センサ１３とを備えている。金属センサ１３は、カードの幅方向において、磁気ヘッド３の配置位置と略同じ位置に配置されている。
2011093340.tif 000002
【特許請求の範囲】
【請求項１】
カードに記録された磁気データの読取および前記カードへの磁気データの記録の少なくとも一方を行う磁気ヘッドを備えるカードリーダにおいて、
前記カードが挿入される挿入口が形成されるカード挿入部と、前記カード挿入部の前面側に金属材料を含む異物が取り付けられたことを検知するための金属センサとを備え、
前記金属センサは、前記カードの挿入方向に略直交する前記カードの幅方向において、前記磁気ヘッドの配置位置と略同じ位置に配置されていることを特徴とするカードリーダ。
【請求項２】
前記カードが通過するカード通過路を備え、
前記カード挿入部には、前記カード挿入部の前方に向かって突出する凸部が形成され、
前記カードの挿入方向から見たときに、前記凸部と前記磁気ヘッドとは、前記カード通過路を挟むように配置され、
前記金属センサは、前記凸部の内部に配置されていることを特徴とする請求項１記載のカードリーダ。
【請求項３】
前記カードが通過するカード通過路を備え、
前記カードの挿入方向から見たときに、前記磁気ヘッドと前記金属センサとは、前記カード通過路を挟むように配置され、
前記金属センサは、その検知方向が前記カードの挿入方向と前記カードの幅方向とに略直交する前記カードの厚さ方向に対して傾斜するように、かつ、その検知可能領域が前記カード挿入部の前方に向かって広がるように配置されていることを特徴とする請求項１または２記載のカードリーダ。
【請求項４】
前記金属センサは、磁性材料で形成されるコアと、前記コアの中心軸を中心にして巻回される一対の励磁用コイルおよび検出用コイルとを備え、
前記コアは、前記中心軸の軸方向における略中央に配置される中央コア部と、前記中心軸の軸方向において前記中央コア部の両端側のそれぞれに配置される一対の軸端コア部とを備え、
前記検出用コイルは、前記中央コア部に巻回され、
一対の前記励磁用コイルのそれぞれは、一対の前記軸端コア部のそれぞれに巻回されていることを特徴とする請求項１から３のいずれかに記載のカードリーダ。
【請求項５】
一対の前記励磁用コイルおよび前記検出用コイルのうち少なくとも一つのコイルは、前記カード挿入部の前面側に取り付けられる前記異物としてのスキミング用磁気ヘッドによる前記カードの磁気データの読取を妨害する妨害ノイズが発生するように励磁されることを特徴とする請求項４記載のカードリーダ。
【請求項６】
前記カードが通過するカード通過路と、前記カード通過路を閉鎖して前記カードの挿入を阻止するカード挿入阻止部材とを備え、
前記カード挿入阻止部材は、前記金属センサが前記異物を検知すると、前記カード通過路を閉鎖した状態を維持すること、または、開放された前記カード通過路を閉鎖することを特徴とする請求項１から５のいずれかに記載のカードリーダ。
【請求項７】
前記カード挿入部の前面側に、前記カードリーダの前方の人間の動きを検知するための人体検知用の赤外線センサを備えることを特徴とする請求項１から６のいずれかに記載のカードリーダ。
【請求項８】
前記カードが通過するカード通過路を備え、
前記カードの挿入方向から見たときに、前記金属センサと前記赤外線センサとは、前記カード通過路を挟むように配置されていることを特徴とする請求項７記載のカードリーダ。
【請求項９】
前記金属センサの検知可能領域の少なくとも一部と前記赤外線センサの検知可能領域の少なくとも一部とが重なっていることを特徴とする請求項７または８記載のカードリーダ。
【請求項１０】
カードに記録された磁気データの読取および前記カードへの磁気データの記録の少なくとも一方を行う磁気ヘッドを備えるカードリーダにおいて、
前記カードが挿入される挿入口が形成されるカード挿入部を備えるとともに、前記カード挿入部の前面側に、前記カードリーダの前方の人間の動きを検知するための人体検知用の赤外線センサを備えることを特徴とするカードリーダ。
【請求項１１】
前記赤外線センサは、前記挿入口の近傍に配置されていることを特徴とする請求項１０記載のカードリーダ。
【請求項１２】
前記赤外線センサは、前記カードの挿入方向に略直交する前記カードの幅方向において、前記磁気ヘッドの配置位置と略同じ位置に配置されていることを特徴とする請求項１０または１１記載のカードリーダ。
【請求項１３】
前記カードが通過するカード通過路を備え、
前記磁気ヘッドは、そのギャップ部が前記カード通過路に臨むように配置され、
前記赤外線センサは、前記カードの挿入方向に略直交する前記カードの幅方向と前記カードの挿入方向とに略直交する前記カードの厚さ方向において、前記カード通過路よりも前記磁気ヘッドが配置される側に配置されていることを特徴とする請求項１０から１２のいずれかに記載のカードリーダ。
【請求項１４】
前記カードが通過するカード通過路と、前記カード通過路を閉鎖して前記カードの挿入を阻止するカード挿入阻止部材とを備え、
前記カード挿入阻止部材は、前記カードリーダに前記カードが挿入されていない待機時に前記カード通過路を閉鎖するとともに、前記赤外線センサが人間の動きを検知すると、前記カード通過路を開放して前記カードの挿入を可能にすることを特徴とする請求項１０から１２のいずれかに記載のカードリーダ。
【請求項１５】
前記カードが通過するカード通過路と、前記カード通過路における前記カードの有無を検知するためのカードセンサとを備え、
前記赤外線センサが人間の動きを検知していないときに、前記カードセンサが前記カードを検知すると、前記カードリーダが搭載される所定の上位装置に異常信号を送信することを特徴とする請求項１０から１３のいずれかに記載のカードリーダ。
【請求項１６】
前記カード挿入部の前面側に金属材料を含む異物が取り付けられたことを検知するための金属センサを前記カード挿入部の前面側に備えることを特徴とする請求項１０から１５のいずれかに記載のカードリーダ。
【請求項１７】
前記金属センサは、磁性材料で形成されるコアと、前記コアの中心軸を中心にして巻回される一対の励磁用コイルおよび検出用コイルとを備え、
前記コアは、前記中心軸の軸方向における略中央に配置される中央コア部と、前記中心軸の軸方向において前記中央コア部の両端側のそれぞれに配置される一対の軸端コア部とを備え、
前記検出用コイルは、前記中央コア部に巻回され、
一対の前記励磁用コイルのそれぞれは、一対の前記軸端コア部のそれぞれに巻回されるとともに、一対の前記励磁用コイルおよび前記検出用コイルのうち少なくとも一つのコイルは、前記赤外線センサが人間の動きを検知していないときに、前記カード挿入部の前面側に取り付けられる前記異物としてのスキミング用磁気ヘッドによる前記カードの磁気データの読取を妨害する妨害ノイズが発生するように励磁され、前記赤外線センサが人間の動きを検知すると、前記妨害ノイズが停止するように励磁されることを特徴とする請求項１６記載のカードリーダ。
【請求項１８】
前記赤外線センサの検知可能領域の少なくとも一部と前記金属センサの検知可能領域の少なくとも一部とが重なっていることを特徴とする請求項１６または１７記載のカードリーダ。
【発明の詳細な説明】
【技術分野】
【０００１】
本発明は、カードに記録された磁気データの読取およびカードへの磁気データの記録の少なくとも一方を行うカードリーダに関する。
【背景技術】
【０００２】
従来、カードに記録された磁気データの読取やカードへの磁気データの記録を行うカードリーダが広く利用されている。この種のカードリーダは、たとえば、銀行等の金融機関に設置されるＡＴＭ（Ａｕｔｏｍａｔｅ  Ｔｅｌｌｅｒ  Ｍａｃｈｉｎｅ）等の上位装置に搭載されて使用されている。また、カードリーダが使用される金融機関等の業界では、従来、犯罪者がカードリーダのカード挿入部に磁気ヘッドを取り付けて、この磁気ヘッドでカードの磁気データを不正に取得するいわゆるスキミングが大きな問題となっている。【０００３】
そこで、スキミング用の磁気ヘッド（以下、「スキミング用磁気ヘッド」とする。）を備えるスキミング装置がＡＴＭのカード挿入部に取り付けられたことを検出するためのスキミング装置検出システムが提案されている（たとえば、特許文献１参照）。特許文献１に記載のスキミング装置検出システムは、オートフォーカス制御機能付きレンズを装着した撮像装置を備えている。このスキミング装置検出システムでは、撮像装置でＡＴＭの取引操作部を撮像し、この撮像装置で得られる画像に基づいて、カード挿入部にスキミング装置が取り付けられたか否かを検出している。
【先行技術文献】
【特許文献】
【０００４】
【特許文献１】特開２００８−２２５６７０号公報
【発明の概要】
【発明が解決しようとする課題】
【０００５】
特許文献１に記載のスキミング装置検出システムを用いると、カード挿入部にスキミング装置が取り付けられたか否かを検出することが可能になる。しかしながら、特許文献１に記載のスキミング装置検出システムは、オートフォーカス制御機能付きレンズを装着した撮像装置を備えており、その構成が複雑である。【０００６】
また、特許文献１に記載のスキミング装置検出システムを用いると、犯罪者の不正行為を防止することが可能になる。しかしながら、犯罪者の不正行為を防止するために、このスキミング装置検出システムを用いる場合には、ＡＴＭに加えて、スキミング装置検出システムが必要になる。すなわち、このスキミング装置検出システムを用いる場合には、大掛りな装置が必要になる。【０００７】
そこで、本発明の第一の課題は、比較的簡易な構成で、スキミング用磁気ヘッドが取り付けられたか否かを適切に検知することが可能なカードリーダを提供することにある。【０００８】
また、本発明の第二の課題は、比較的簡易な構成で、犯罪者の不正行為を防止することが可能なカードリーダを提供することにある。
【課題を解決するための手段】
【０００９】
上記の第一の課題を解決するため、本発明のカードリーダは、カードに記録された磁気データの読取およびカードへの磁気データの記録の少なくとも一方を行う磁気ヘッドを備えるカードリーダにおいて、カードが挿入される挿入口が形成されるカード挿入部と、カード挿入部の前面側に金属材料を含む異物が取り付けられたことを検知するための金属センサとを備え、金属センサは、カードの挿入方向に略直交するカードの幅方向において、磁気ヘッドの配置位置と略同じ位置に配置されていることを特徴とする。【００１０】
本発明のカードリーダは、カード挿入部の前面側に金属材料を含む異物が取り付けられたことを検知するための金属センサを備え、この金属センサは、カードの挿入方向に略直交するカードの幅方向において、磁気ヘッドの配置位置と略同じ位置に配置されている。スキミング用磁気ヘッドは、カードの幅方向において、カードリーダの磁気ヘッドの配置位置に対応するように取り付けられるため、本発明では、金属センサによって、スキミング用磁気ヘッドが取り付けられたか否かを適切に検知することが可能になる。すなわち、本発明では、特許文献１に記載されているスキミング装置検出システムのような複雑な装置を用いなくても、カードリーダの構成部品として取り付けた金属センサを用いた比較的簡易な構成で、スキミング用磁気ヘッドが取り付けられたか否かを適切に検知することが可能になる。【００１１】
本発明において、カードリーダは、カードが通過するカード通過路を備え、カード挿入部には、カード挿入部の前方に向かって突出する凸部が形成され、カードの挿入方向から見たときに、凸部と磁気ヘッドとは、カード通過路を挟むように配置され、金属センサは、凸部の内部に配置されていることが好ましい。スキミング用磁気ヘッドは、カードの挿入方向から見たときに、カードリーダの磁気ヘッドと重なるように、かつ、カード挿入部の前面側に取り付けられるため、このように構成すると、金属センサによって、スキミング用磁気ヘッドが取り付けられたか否かをより適切に検知することが可能になる。また、このように構成すると、金属センサが凸部の内部に配置されるため、犯罪者は、金属センサが設置されていることに気付きにくくなる。また、犯罪者が金属センサを破壊するのを防止しやすくなる。【００１２】
本発明において、カードリーダは、カードが通過するカード通過路を備え、カードの挿入方向から見たときに、磁気ヘッドと金属センサとは、カード通過路を挟むように配置され、金属センサは、その検知方向がカードの挿入方向とカードの幅方向とに略直交するカードの厚さ方向に対して傾斜するように、かつ、その検知可能領域がカード挿入部の前方に向かって広がるように配置されていることが好ましい。スキミング用磁気ヘッドは、カードの挿入方向から見たときに、カードリーダの磁気ヘッドと重なるように、かつ、カード挿入部の前面側に取り付けられるため、このように構成すると、金属センサによって、スキミング用磁気ヘッドが取り付けられたか否かをより適切に検知することが可能になる。【００１３】
本発明において、金属センサは、磁性材料で形成されるコアと、コアの中心軸を中心にして巻回される一対の励磁用コイルおよび検出用コイルとを備え、コアは、中心軸の軸方向における略中央に配置される中央コア部と、中心軸の軸方向において中央コア部の両端側のそれぞれに配置される一対の軸端コア部とを備え、検出用コイルは、中央コア部に巻回され、一対の励磁用コイルのそれぞれは、一対の軸端コア部のそれぞれに巻回されていることが好ましい。このように構成すると、金属材料を含む異物を高感度で検知することが可能になり、また、周囲の温度変動の影響を抑制した安定した異物の検知が可能になる。【００１４】
本発明において、一対の励磁用コイルおよび検出用コイルのうち少なくとも一つのコイルは、カード挿入部の前面側に取り付けられる異物としてのスキミング用磁気ヘッドによるカードの磁気データの読取を妨害する妨害ノイズが発生するように励磁されることが好ましい。このように構成すると、スキミング用磁気ヘッドがカード挿入部の前面側に取り付けられた場合には、金属センサが妨害ノイズを発生させる。したがって、金属センサが発生させるノイズによって、スキミング用磁気ヘッドによるカードの磁気データの適切な読取を阻止することが可能になる。すなわち、金属センサが発生させるノイズによって、スキミングを阻止することが可能になる。【００１５】
本発明において、カードリーダは、カードが通過するカード通過路と、カード通過路を閉鎖してカードの挿入を阻止するカード挿入阻止部材とを備え、カード挿入阻止部材は、金属センサが異物を検知すると、カード通過路を閉鎖した状態を維持すること、または、開放されたカード通過路を閉鎖することが好ましい。このように構成すると、スキミング用磁気ヘッドがカード挿入部に取り付けられた場合には、カード挿入阻止部材がカード通過路を閉鎖しているため、ユーザはカードを挿入することができない。したがって、スキミングを阻止することができる。【００１６】
本発明において、カードリーダは、カード挿入部の前面側に、カードリーダの前方の人間の動きを検知するための人体検知用の赤外線センサを備えることが好ましい。このように構成すると、スキミング用磁気ヘッドに何らかの細工が施されているために、金属センサがスキミング用磁気ヘッドを検知できない場合であっても、スキミング用磁気ヘッドを有するスキミング装置がカード挿入部の前面側に取り付けられると、赤外線センサは、カードリーダの前方の人間の動きを検知しにくくなる。したがって、たとえば、赤外線センサが人間の動きを検知していないにもかかわらず、カードリーダにカードが挿入された場合には、カード挿入部にスキミング装置が取り付けられたと判断することができ、以後のカードリーダの取引を中止することが可能になる。また、以後のカードリーダの取引を中止することで、たとえば、カードの暗証番号が犯罪者に取得されるのを防止することが可能になる。また、たとえば、赤外線センサが人間の動きを検知したときにユーザによるカードの挿入が可能となるようにカードリーダを構成すれば、スキミング装置がカード挿入部に取り付けられて、赤外線センサがカードリーダの前方の人間の動きを検知しない場合には、ユーザはカードを挿入することができないため、スキミング自体を阻止することが可能になる。【００１７】
本発明において、カードリーダは、カードが通過するカード通過路を備え、カードの挿入方向から見たときに、金属センサと赤外線センサとは、カード通過路を挟むように配置されていることが好ましい。また、本発明において、金属センサの検知可能領域の少なくとも一部と赤外線センサの検知可能領域の少なくとも一部とが重なっていることが好ましい。このように構成すると、スキミング用磁気ヘッドが取り付けられやすい箇所に、赤外線センサの検知可能領域を設定するとともに、金属センサの検知可能領域を設定することが可能になる。したがって、スキミング用磁気ヘッドを有するスキミング装置が比較的小さい場合であっても、スキミング装置が取り付けられたときには、赤外線センサは人間の動きを検知しにくくなり、かつ、金属センサはスキミング装置を検知しやすくなる。その結果、赤外線センサと金属センサとによって、犯罪者の不正行為をより効果的に防止することが可能になる。【００１８】
また、上記の第二の課題を解決するため、本発明のカードリーダは、カードに記録された磁気データの読取および／またはカードへの磁気データの記録を行う磁気ヘッドを備えるカードリーダにおいて、カードが挿入される挿入口が形成されるカード挿入部を備えるとともに、カード挿入部の前面側に、カードリーダの前方の人間の動きを検知するための人体検知用の赤外線センサを備えることを特徴とする。【００１９】
本発明のカードリーダは、カード挿入部の前面側に、カードリーダの前方の人間の動きを検知するための人体検知用の赤外線センサを備えている。そのため、スキミング用磁気ヘッドを有するスキミング装置がカード挿入部の前面側に取り付けられると、赤外線センサは、カードリーダの前方の人間の動きを検知しにくくなる。したがって、たとえば、赤外線センサが人間の動きを検知していないにもかかわらず、カードリーダにカードが挿入された場合には、カード挿入部にスキミング装置が取り付けられたと判断することができ、以後のカードリーダの取引を中止することが可能になる。また、以後のカードリーダの取引を中止することで、たとえば、カードの暗証番号が犯罪者に取得されるのを防止することが可能になる。また、たとえば、赤外線センサが人間の動きを検知したときにユーザによるカードの挿入が可能となるようにカードリーダを構成すれば、スキミング装置がカード挿入部に取り付けられて、赤外線センサがカードリーダの前方の人間の動きを検知しない場合には、ユーザはカードを挿入することができないため、スキミング自体を阻止することが可能になる。【００２０】
このように、本発明では、特許文献１に記載されているスキミング装置検出システムのような大掛りな装置を用いなくても、カードリーダの構成部品として取り付けた赤外線センサを用いた比較的簡易な構成で、スキミング自体を阻止すること、あるいは、犯罪者によるカードの暗証番号の不正取得を防止することが可能になる。すなわち、本発明では、赤外線センサを用いた比較的簡易な構成で、犯罪者の不正行為を防止することが可能になる。【００２１】
本発明において、赤外線センサは、挿入口の近傍に配置されていることが好ましい。スキミング用磁気ヘッドは、挿入口の近傍に取り付けられることが多いため、このように構成すると、カード挿入部の前面側にスキミング装置が取り付けられたときに、スキミング装置によって、赤外線センサの受光部が遮られやすくなる。すなわち、このように構成すると、カード挿入部の前面側にスキミング装置が取り付けられたときに、赤外線センサは、カードリーダの前方の人間の動きをより検知しにくくなる。したがって、犯罪者の不正行為を効果的に防止することが可能になる。【００２２】
本発明において、赤外線センサは、カードの挿入方向に略直交するカードの幅方向において、磁気ヘッドの配置位置と略同じ位置に配置されていることが好ましい。また、本発明において、カードリーダは、カードが通過するカード通過路を備え、磁気ヘッドは、そのギャップ部がカード通過路に臨むように配置され、赤外線センサは、カードの挿入方向に略直交するカードの幅方向とカードの挿入方向とに略直交するカードの厚さ方向において、カード通過路よりも磁気ヘッドが配置される側に配置されていることが好ましい。スキミング用磁気ヘッドは、カードの幅方向およびカードの厚さ方向において、カードリーダの磁気ヘッドの配置位置に対応するように取り付けられる。そのため、このように構成すると、カード挿入部にスキミング装置が取り付けられたときに、スキミング用磁気ヘッドによって、赤外線センサの受光部が遮られる可能性が高くなる。すなわち、このように構成すると、カード挿入部にスキミング装置が取り付けられたときに、赤外線センサは、カードリーダの前方の人間の動きを検知しなくなる可能性が高くなる。したがって、犯罪者の不正行為をより効果的に防止することが可能になる。【００２３】
本発明において、カードリーダは、カードが通過するカード通過路と、カード通過路を閉鎖してカードの挿入を阻止するカード挿入阻止部材とを備え、カード挿入阻止部材は、カードリーダにカードが挿入されていない待機時にカード通過路を閉鎖するとともに、赤外線センサが人間の動きを検知すると、カード通過路を開放してカードの挿入を可能にすることが好ましい。このように構成すると、スキミング装置がカード挿入部に取り付けられて、赤外線センサが人間の動きを検知しない場合には、カード挿入阻止部材がカード通過路を閉鎖しており、ユーザはカードを挿入することができない。したがって、スキミング自体を阻止することができる。【００２４】
本発明において、カードリーダは、カードが通過するカード通過路と、カード通過路におけるカードの有無を検知するためのカードセンサを備え、赤外線センサが人間の動きを検知していないときに、カードセンサがカードを検知すると、カードリーダが搭載される所定の上位装置に異常信号を送信することが好ましい。赤外線センサが人間の動きを検知していないにもかかわらず、カードセンサがカードを検知する場合には、カード挿入部にスキミング用磁気ヘッドが取り付けられていると判断することができる。したがって、このように構成すると、上位装置からの制御指令に基づいて、以後のカードリーダの取引を中止することが可能になる。その結果、たとえば、カードの暗証番号が犯罪者に取得されるのを防止することが可能になる。【００２５】
本発明において、カードリーダは、カード挿入部の前面側に金属材料を含む異物が取り付けられたことを検知するための金属センサをカード挿入部の前面側に備えることが好ましい。赤外線センサの場合、カード挿入口にスキミング装置が取り付けられたとしても、カード挿入口にスキミング装置が取り付けられたのか、あるいは、カードリーダの前方に人間がいないだけなのかを判別することができない。すなわち、赤外線センサでは、カード挿入口にスキミング装置が取り付けられたときに、スキミング装置が取り付けられたことを検知することはできないが、このように構成すると、金属センサによって、カード挿入口にスキミング装置が取り付けられたときに、スキミング装置が取り付けられたことを検知することが可能になる。したがって、金属センサでの検知結果に基づいて所定の処理を行うことで、犯罪者の不正行為を効果的に防止することが可能になる。【００２６】
本発明において、金属センサは、磁性材料で形成されるコアと、コアの中心軸を中心にして巻回される一対の励磁用コイルおよび検出用コイルとを備え、コアは、中心軸の軸方向における略中央に配置される中央コア部と、中心軸の軸方向において中央コア部の両端側のそれぞれに配置される一対の軸端コア部とを備え、検出用コイルは、中央コア部に巻回され、一対の励磁用コイルのそれぞれは、一対の軸端コア部のそれぞれに巻回されるとともに、一対の励磁用コイルおよび前記検出用コイルのうち少なくとも一つのコイルは、赤外線センサが人間の動きを検知していないときに、カード挿入部の前面側に取り付けられる異物としてのスキミング用磁気ヘッドによるカードの磁気データの読取を妨害する妨害ノイズが発生するように励磁され、赤外線センサが人間の動きを検知すると、妨害ノイズが停止するように励磁されることが好ましい。このように構成すると、スキミング装置がカード挿入部の前面側に取り付けられて、赤外線センサが人間の動きを検知できない場合には、金属センサが妨害ノイズを発生させる。したがって、金属センサが発生させるノイズによって、スキミング用磁気ヘッドによるカードの磁気データの適切な読取を阻止することが可能になる。【００２７】
本発明において、赤外線センサの検知可能領域の少なくとも一部と金属センサの検知可能領域の少なくとも一部とが重なっていることが好ましい。このように構成すると、スキミング用磁気ヘッドが取り付けられやすい箇所に、赤外線センサの検知可能領域を設定するとともに、金属センサの検知可能領域を設定することが可能になる。したがって、スキミング用磁気ヘッドを有するスキミング装置が比較的小さい場合であっても、スキミング装置が取り付けられたときには、赤外線センサは人間の動きを検知しにくくなり、かつ、金属センサはスキミング装置を検知しやすくなる。その結果、赤外線センサと金属センサとによって、犯罪者の不正行為をより効果的に防止することが可能になる。
【発明の効果】
【００２８】
以上のように、本発明のカードリーダでは、カードリーダの構成部品として取り付けた金属センサを用いた比較的簡易な構成で、スキミング用磁気ヘッドが取り付けられたか否かを適切に検知することが可能になる。
また、本発明のカードリーダでは、カードリーダの構成部品として取り付けた赤外線センサを用いた比較的簡易な構成で、犯罪者の不正行為を防止することが可能になる。
【図面の簡単な説明】
【００２９】
【図１】本発明の実施の形態にかかるカードリーダの斜視図である。
【図２】図１に示すカードリーダの概略構成を説明するための側面図である。
【図３】図１に示すカードリーダの前面側の構成を説明するための分解斜視図である。
【図４】図２に示す金属センサの正面図である。
【図５】図２に示す金属センサの構成を説明するための図である。
【図６】図２に示す赤外線センサおよび金属センサの配置を説明するため側面図である。
【図７】図２に示す赤外線センサおよび金属センサの配置を説明するための平面図である。
【発明を実施するための形態】
【００３０】
以下、図面を参照しながら、本発明の実施の形態を説明する。
【００３１】
（カードリーダの概略構成）
図１は、本発明の実施の形態にかかるカードリーダ１の斜視図である。図２は、図１に示すカードリーダ１の概略構成を説明するための側面図である。図３は、図１に示すカードリーダ１の前面側の構成を説明するための分解斜視図である。
【００３２】
本形態のカードリーダ１は、ユーザが手動でカード２を移動させながら、カード２に記録された磁気データの読取およびカード２への磁気データの記録の少なくとも一方を行うための装置である。具体的には、カードリーダ１は、カードリーダ１の内部にカード２を挿入する際、あるいは、カードリーダ１からカード２を抜き取る際に磁気データの読取や記録を行ういわゆるディップ式のカードリーダであり、たとえば、ＡＴＭ等の所定の上位装置に搭載されて使用される。
【００３３】
カードリーダ１は、図１、図２に示すように、磁気データの読取および磁気データの記録の少なくとも一方を行う磁気ヘッド３と、カード２に固定されるＩＣチップに接触してデータのやりとりを行うＩＣ接点４と、挿入されたカード２の抜取りを防止する抜取り防止レバー５と、カード２が挿入される挿入口６が形成されるカード挿入部７と、カード２が通過するカード通過路８が形成される本体フレーム９とを備えている。
【００３４】
本形態では、図１等に示すＸ方向にカード２が通過する。具体的には、Ｘ１方向にカード２が挿入され、Ｘ２方向にカード２が抜き取られる。すなわち、Ｘ１方向は、カード２の挿入方向であり、Ｘ２方向は、カード２の抜取り方向である。また、Ｘ方向に略直交する図１等のＺ方向は、カード２の厚さ方向であり、Ｘ方向とＺ方向とに略直交する図１等のＹ方向は、カード２の幅方向（短手幅方向）である。なお、以下の説明では、Ｘ１方向側を「奥（後ろ）」側、Ｘ２方向側を「手前（前）」側、Ｙ１方向側を「右」側、Ｙ２方向側を「左」側、Ｚ１方向側を「上」側、Ｚ２方向側を「下」側とする。
【００３５】
また、カードリーダ１は、カード２が挿入されたことを検知するためのセンサ１０と、カード２の奥端がカードリーダ１の奥端側まで到達したことを検知するためのセンサ１１と、カードリーダ１の前方の人間の動きを検知するための人体検知用の赤外線センサ１２と、カード挿入部７の前面側に金属材料を含む異物が取り付けられたことを検知するための金属センサ１３とを備えている。
【００３６】
カード２は、たとえば、厚さが０．７〜０．８ｍｍ程度の矩形状の塩化ビニール製のカードである。このカード２の裏面（下面）には、磁気データが記録される磁気ストライプが形成されている。また、カード２の表面には、ＩＣチップが固定されている。すなわち、本形態のカード２は、磁気ストライプ付きの接触式ＩＣカードである。なお、カード２には、通信用のアンテナが内蔵されても良い。すなわち、カード２は、磁気ストライプ付きの非接触式ＩＣカードであっても良い。また、カード２は、厚さが０．１８〜０．３６ｍｍ程度のＰＥＴ（ポリエチレンテレフタレート）カードであっても良いし、所定の厚さの紙カード等であっても良い。
【００３７】
本体フレーム９の前端側は、カードリーダ１に挿入されたときのカード２の前端側をユーザが摘めるように形成されている。具体的には、本体フレーム９の前端側は、上下方向から見たときの形状が略Ｕ形状となるように形成されている。すなわち、本体フレーム９は、図３に示すように、前方に向かって突出する２個の突出部９ａ、９ｂを備えている。本形態では、突出部９ａが右側に配置され、突出部９ｂが左側に配置されている。カード通過路８は、上下方向における本体フレーム９の中間位置に形成されている。また、カード通過路８は、本体フレーム９の前端から奥端側に向かって略直線状に形成されている。すなわち、突出部９ａ、９ｂにもカード通過路８の一部が形成されている。
【００３８】
カード挿入部７は、本体フレーム９の前端側を覆うように形成されたハウジングである。このカード挿入部７は、不透明な樹脂材料で形成されている。また、カード挿入部７は、上下方向から見たときの形状が略Ｕ形状となるように形成されており、前方に向かって突出する２個の突出部７ａ、７ｂを備えている。本形態では、突出部７ａは、右側に配置されており、本体フレーム９の突出部９ａを覆っている。また、突出部７ｂは、左側に配置されており、本体フレーム９の突出部９ｂを覆っている。挿入口６は、上下方向におけるカード挿入部７の中間位置に形成されている。また、挿入口６は、突出部７ａ、７ｂの前面、左右方向における突出部７ａ、７ｂの内側面および突出部７ａ、７ｂの間のカード挿入部７の前面に沿うように形成されている。
【００３９】
突出部７ａの前端には、前方に向かって突出する凸部７ｃが形成されている。この凸部７ｃは、挿入口６よりも上側に形成されている。具体的には、凸部７ｃは、挿入口６のすぐ上側に形成されている。凸部７ｃの下側面は、図２に示すように、前側に向かうにしたがって上方向へ傾斜するように形成されている。また、突出部７ａの前端面には、前後方向に貫通する開口部７ｄが形成されている。この開口部７ｄは、挿入口６よりも下側に形成されている。
【００４０】
磁気ヘッド３は、本体フレーム９の突出部９ａに取り付けられている。具体的には、磁気ヘッド３は、図２に示すように、そのギャップ部がカード通過路８に下側から臨むように配置されており、突出部９ａの、カード通過路８よりも下側部分に取り付けられている。また、磁気ヘッド３は、カード２の裏面に形成される磁気ストライプに接触可能な位置に配置されている。
【００４１】
ＩＣ接点４は、図２に示すように、カードリーダ１の奥端側に配置されている。また、ＩＣ接点４は、カード通過路８よりも上側に配置されている。このＩＣ接点４は、ＩＣ接点ブロック１６に固定されている。ＩＣ接点ブロック１６の前端側および後端側のそれぞれには、レバー部材１７の下端側が回動可能に取り付けられている。レバー部材１７の上端側は、本体フレーム９に回動可能に取り付けられている。また、ＩＣ接点ブロック１６の前端側には、引張りコイルバネ１８の奥端が取り付けられている。引張りコイルバネ１８の前端は、本体フレーム９に取り付けられており、ＩＣ接点ブロック１６は、引張りコイルバネ１８によって、前側へ付勢されている。
【００４２】
本形態では、ＩＣ接点ブロック１６の奥端に形成されるカード当接部１６ａにカード２の奥端が当接すると、レバー部材１７が上端側を支点にして回動し、ＩＣ接点ブロック１６は、奥方向へ移動しながら下方向へ移動する。ＩＣ接点ブロック１６が奥方向へ移動しながら下方向へ移動すると、ＩＣ接点４がカード２の表面に固定されるＩＣチップに接触する。また、この状態でカード２が引き抜かれると、引張りコイルバネ１８の付勢力で、ＩＣ接点ブロック１６は、前方向へ移動しながら上方向へ移動して、ＩＣ接点４がカード通過路８から退避する。
【００４３】
抜取り防止レバー５は、ソレノイドに連結されている。また、抜取り防止レバー５は、図２に示すように、固定軸１９を中心に回動可能となっている。抜取り防止レバー５の前端には、カード通過路８を閉鎖する閉鎖部５ａが形成されている。抜取り防止レバー５は、固定軸１９を中心に回動して、図２の実線で示すように、カード通過路８の前端側を閉鎖し、また、図２の二点鎖線で示すように、カード通過路８を開放する。
【００４４】
本形態では、カードリーダ１にカード２が挿入されていない待機時には、図２の実線で示すように、抜取り防止レバー５の閉鎖部５ａはカード通過路８を閉鎖している。より具体的には、赤外線センサ１２が人間の動きを検知していないときには、抜取り防止レバー５の閉鎖部５ａがカード通過路８を閉鎖しており、カードリーダ１へのカード２の挿入ができない状態となっている。
【００４５】
この状態で、赤外線センサ１２が人間の動きを検知すると、図２の二点鎖線で示すように、抜取り防止レバー５はカード通過路８を開放してカード２の挿入を可能にする。また、カード２が挿入されて、カード２の奥端がカードリーダ１の奥端側まで到達すると、閉鎖部５ａはカード通過路８を閉鎖する。閉鎖部５ａがカード通過路８を閉鎖することで、ＩＣ接点４とＩＣチップとの間でデータの読取や記録を行っている際のカード２の抜取りが防止される。本形態の抜取り防止レバー５は、カード通過路８を閉鎖してカード２の挿入を阻止するカード挿入阻止部材である。
【００４６】
センサ１０は、発光素子と受光素子とを備える光学式のセンサであり、カードリーダ１の前端側に配置されている。本形態では、挿入口６からカード２が挿入されると、突出部９ａに取り付けられるカード挿入検出レバー２０（図３参照）にカード２の奥端側が接触する。カード挿入検出レバー２０にカード２の奥端側が接触すると、カード挿入検出レバー２０が移動して、センサ１０の発光素子と受光素子との間を遮る。カード挿入検出レバー２０がセンサ１０の発光素子と受光素子との間を遮ると、カード２が挿入されたことが検知される。なお、図２では、カード挿入検出レバー２０の図示を省略している。
【００４７】
センサ１１は、センサ１０と同様に、発光素子と受光素子とを備える光学式のセンサであり、カードリーダ１の奥端側に配置されている。本形態では、ＩＣ接点ブロック１６のカード当接部１６ａにカード２の奥端が当接して、ＩＣ接点ブロック１６が奥方向へ移動しながら下方向へ移動すると、ＩＣ接点ブロック１６の遮光部１６ｂ（図２参照）がセンサ１１の発光素子と受光素子との間を遮る。遮光部１６ｂがセンサ１１の発光素子と受光素子との間を遮ると、カード２の奥端がカードリーダ１の奥端側まで到達したことが検知される。
【００４８】
このように、本形態のセンサ１０および／またはセンサ１１は、カード通過路８におけるカード２の有無を検知する機能を果たしている。
【００４９】
赤外線センサ１２は、焦電型の赤外線センサであり、焦電効果によって赤外線を含む光を検知する焦電素子を備えている。この赤外線センサ１２は、上述のように、カードリーダ１の前方の人間の動きを検知する。具体的には、赤外線センサ１２は、カードリーダ１の前方の人間の手等の動きを検知する。また、赤外線センサ１２は、カードリーダ１の前方の人間が発生する赤外線に基づいて、カードリーダ１の前方の人間の体温と赤外線センサ１２の検知範囲内における人間の周囲の温度との差を検知することで、カードリーダ１の前方の人間の動きを検知する。赤外線センサ１２は、カード挿入部７の前面側に配置されている。赤外線センサ１２の配置の詳細については後述する。
【００５０】
金属センサ１３は、後述の励磁用コイル２２、２３が発生させる磁界の変化を後述の検出用コイル２４で検出して金属部材を検知する磁気センサである。この金属センサ１３は、カード挿入部７の前面側に配置されている。金属センサ１３の詳細な構成および金属センサ１３の配置の詳細については後述する。
【００５１】
（金属センサの構成）
図４は、図２に示す金属センサ１３の正面図である。図５は、図２に示す金属センサ１３の構成を説明するための図である。
【００５２】
金属センサ１３は、磁性材料で形成されるコア２１と、コア２１の中心軸ＣＬを中心に巻回される一対の励磁用コイル２２、２３および検出用コイル２４と、励磁用コイル２２、２３の端部が接続される端子２５〜２７と、検出用コイル２４の端部が接続される端子２８、２９とを備えている。この金属センサ１３は、インサート成型で形成されており、コア２１、励磁用コイル２２、２３および検出用コイル２４は、絶縁性の樹脂材料で形成されたハウジング３０の内部に配置されている。また、端子２５〜２９の一端側は、ハウジング３０から突出している。
【００５３】
コア２１は、図４、図５の紙面垂直方向を厚さ方向とする薄板状に形成されている。このコア２１は、中心軸ＣＬの軸方向における略中央に配置される中央コア部２１ａと、中心軸ＣＬの軸方向において中央コア部２１ａの両端側のそれぞれに配置される一対の軸端コア部２１ｂ、２１ｂと、中央コア部２１ａと軸端コア部２１ｂとの間に配置される鍔部２１ｃとによって構成されている。中央コア部２１ａの幅（図４、図５の左右方向の幅）は、軸端コア部２１ｂの幅よりも広くなっている。なお、本形態では、中央コア部２１ａの幅は、軸端コア部２１ｂの幅の約１．５倍となっている。このように、中央コア部２１ａの幅が、軸端コア部２１ｂの幅より広くなっているので、磁界φ１と磁界φ２とのバランスを取り易くなっている。また、鍔部２１ｃの幅は、中央コア部２１ａの幅よりも広くなっている。
【００５４】
また、本形態では、中央コア部２１ａの幅は、軸端コア部２１ｂの幅より広くなっているが、中央コア部２１ａの幅と軸端コア部２１ｂの幅とが等しくても良い。すなわち、各軸端コア部２１ｂへ巻回された励磁用コイル２２、２３が発生させる磁界φ１と磁界φ２とのバランスを確保できれば良い。
【００５５】
検出用コイル２４は、中央コア部２１ａに巻回されている。検出用コイル２４の一端部は、端子２８に固定され、検出用コイル２４の他端部は、端子２９に固定されている。励磁用コイル２２、２３は、一対の軸端コア部２１ｂ、２１ｂのそれぞれに巻回されている。励磁用コイル２２、２３の一端部は、端子２５、２７に固定されている。また、励磁用コイル２２、２３の他端部は、導線３１の一端部に固定されている。導線３１の他端部は、端子２６に固定されている。端子２５、２７は、可変抵抗３３を介して交流電源３４に接続され、端子２６は、接地されている。
【００５６】
本形態の金属センサ１３の検知可能領域Ｒ１（図６参照）は、中心軸ＣＬを中心とする所定の領域であり、中心軸ＣＬの軸方向が金属センサ１３の検知方向となる。また、本形態では、金属センサ１３の検知可能領域Ｒ１に金属部材がないときに、励磁用コイル２２が発生させる磁界φ１（図５参照）の磁束密度と、励磁用コイル２３が発生させる磁界φ２（図５参照）の磁束密度とが略同じになるように、かつ、磁界φ１の方向と磁界φ２の方向とが逆方向になるように、励磁用コイル２２、２３が励磁されている。すなわち、本形態では、金属センサ１３の検知可能領域Ｒ１に金属部材がないときに、磁界φ１と磁界φ２とのバランスが取れるように、可変抵抗３３が調整されており、金属センサ１３の検知可能領域Ｒ１に金属部材がないときには、検出用コイル２４の両端部の間に電圧が発生していない。
【００５７】
一方、金属センサ１３の検知可能領域Ｒ１に金属部材が配置されると、その金属部材の影響で、磁界φ１と磁界φ２とのバランスが崩れる。磁界φ１と磁界φ２とのバランスが崩れると、検出用コイル２４の両端部の間に電圧が発生する。このように、本形態の金属センサ１３は、検出用コイル２４の両端部の間に発生する電圧を検出することで、金属部材を検知する。すなわち、本形態の金属センサ１３は、磁気差動型の金属センサである。
【００５８】
（赤外線センサの配置および金属センサの配置）
図６は、図２に示す赤外線センサ１２および金属センサ１３の配置を説明するため側面図である。図７は、図２に示す赤外線センサ１２および金属センサ１３の配置を説明するための平面図である。
【００５９】
赤外線センサ１２は、カードリーダ１の前方に立つユーザから発生する赤外線が入射可能となるように、カード挿入部７の前面側に配置されている。また、赤外線センサ１２は、挿入口６の近傍に配置されている。具体的には、赤外線センサ１２の受光部１２ａが突出部７ａの開口部７ｄの中に配置されるように、赤外線センサ１２は、本体フレーム９の突出部９ａの前面に配置されている。すなわち、赤外線センサ１２は、カード通過路８よりも下側に配置されている。
【００６０】
また、赤外線センサ１２は、図７に示すように、左右方向において、磁気ヘッド３の配置位置と略同じ位置に配置されている。すなわち、赤外線センサ１２は、左右方向において、カードリーダ１に挿入されるカード２の磁気ストライプの位置と略同じ位置に配置されており、カードリーダ１に挿入されるカード２の磁気ストライプは赤外線センサ１２の上方を通過する。
【００６１】
金属センサ１３は、カード挿入部７の前面側に金属材料を含む異物が取り付けられたことが検知可能となるように、カード挿入部７の前面側に配置されている。また、金属センサ１３は、挿入口６の近傍に配置されている。具体的には、金属センサ１３は、本体フレーム９の突出部９ａの前面に配置されている。また、金属センサ１３は、凸部７ｃの内部に配置されており、カード通過路８よりも上側に配置されている。すなわち、前後方向から見たときに、磁気ヘッド３と金属センサ１３とは、カード通過路８を挟むように配置されている。
【００６２】
また、金属センサ１３は、図７に示すように、左右方向において、磁気ヘッド３の配置位置と略同じ位置に配置されている。すなわち、金属センサ１３は、左右方向において、カードリーダ１に挿入されるカード２の磁気ストライプの位置と略同じ位置に配置されており、カードリーダ１に挿入されるカード２の磁気ストライプは、磁気センサ１３の下方を通過する。
【００６３】
さらに、金属センサ１３は、その幅方向（図４、図５の左右方向）が左右方向（Ｙ方向）と略一致するように配置されている。また、金属センサ１３は、図６に示すように、その検知方向となる中心軸ＣＬの軸方向が上下方向に対して傾斜するように、かつ、その検知可能領域Ｒ１が前方に向かって広がるように配置されている。すなわち、金属センサ１３は、上側に向かうにしたがって奥側に倒れるように配置されている。上下方向に対する中心軸ＣＬの軸方向の傾斜角度θは、たとえば、２５°である。
【００６４】
このように、赤外線センサ１２と金属センサ１３とは、前後方向から見たときにカード通過路８を挟むように配置されている。また、本形態では、図６に示すように、金属センサ１３の検知可能領域Ｒ１と、赤外線センサ１２の検知可能領域Ｒ２とが重なっている。
【００６５】
（カードリーダの概略動作）
以上のように構成されたカードリーダ１では、カード２が挿入されていない待機時には、抜取り防止レバー５はカード通過路８を閉鎖しており、カードリーダ１へのカード２の挿入ができない状態となっている。この状態で、金属センサ１３が金属部材を検知しておらず、かつ、赤外線センサ１２が人間の動きを検知すると、抜取り防止レバー５がカード通過路８を開放してカード２が挿入可能な状態となる。また、ユーザがカード２を挿入して、カード２の奥端がカードリーダ１の奥端側まで到達すると、抜取り防止レバー５はカード通過路８を閉鎖する。また、ＩＣ接点４とＩＣチップとの間でデータの読取や記録が終了すると、抜取り防止レバー５がカード通過路８を開放してカード２が抜取り可能な状態になる。
【００６６】
ここで、図６に示すように、犯罪者によって、カード挿入部７の前面側の、検知可能領域Ｒ１、Ｒ２にスキミング用磁気ヘッド５１を備えるスキミング装置５２が取り付けられると、スキミング用磁気ヘッド５１は少なくとも金属部材を備えているため、金属センサ１３がスキミング装置５２を検知する。また、スキミング装置５２によって、赤外線センサ１２の受光部１２ａの全部または一部が遮られる。
【００６７】
本形態では、金属センサ１３が金属部材を検知すると、たとえ、赤外線センサ１２が人間の動きを検知しても、抜取り防止レバー５がカード通過路８を閉鎖した状態を維持する。すなわち、本形態では、金属センサ１３がスキミング装置５２を検知した場合には、たとえ、赤外線センサ１２が人間の動きを検知しても、抜取り防止レバー５がカード通過路８を閉鎖した状態を維持して、ユーザによるカード２の挿入を阻止する。また、金属センサ１３がスキミング装置５２を検知した場合には、カードリーダ１は、上位装置に対して異常が発生したことを知らせる異常信号を送信する。なお、異常信号を受信した上位装置は、たとえば、上位装置のディスプレイに異常が発生している旨を表示する、および／または、ブザーを鳴らす等の所定の動作を行って、ユーザに異常が発生していることを知らせる。
【００６８】
また、スキミング装置５２は取り付けられたが、スキミング装置５２に何らかの細工が施されているために、金属センサ１３がスキミング装置５２を検知できない場合であっても、スキミング装置５２によって受光部１２ａの全部または一部が遮られているため、赤外線センサ１２は、人間の動きを検知しないか、あるいは、検知しにくくなる。したがって、この場合であっても、上述のように、抜取り防止レバー５がカード通過路８を閉鎖した状態を維持して、ユーザによるカード２の挿入を阻止することが可能である。
【００６９】
なお、カードリーダ１にカード２が挿入されていない待機時に、磁界φ１と磁界φ２とのバランスが定期的に崩れるように（すなわち、磁界φ１の磁束密度と磁界φ２の磁束密度とが定期的に異なるように）、励磁用コイル２２、２３を励磁して、検出用コイル２４の両端部の間に電圧が発生するか否かを定期的にチェックしても良い。この場合には、金属センサ１３がスキミング装置５２を適切に検知できるか否かを定期的にチェックすることが可能になる。したがって、スキミング装置５２が取り付けられたときに、金属センサ１３でスキミング装置５２を確実に検知することが可能になる。また、チェック時に検出用コイル２４の両端部の間に電圧が発生しない場合には、カードリーダ１では、たとえば、抜取り防止レバー５がカード通過路８を閉鎖した状態を維持して、ユーザによるカード２の挿入を阻止する。また、この場合には、カードリーダ１は、たとえば、異常信号を上位装置に送信し、異常信号を受信した上位装置は、たとえば、上位装置のディスプレイに異常が発生している旨を表示する、および／または、ブザーを鳴らす等の所定の動作を行う。
【００７０】
（本形態の主な効果）
以上説明したように、本形態では、カードリーダ１は、カード挿入部７の前面側に金属材料を含む異物が取り付けられたことを検知するための金属センサ１３を備えている。また、本形態では、金属センサ１３は、左右方向において、磁気ヘッド３の配置位置と略同じ位置に配置されている。スキミング用磁気ヘッド５１は、左右方向において、磁気ヘッド３の配置位置に対応するように取り付けられるため、本形態では、金属センサ１３によって、スキミング用磁気ヘッド５１が取り付けられたか否かを適切に検知することが可能になる。すなわち、本形態では、金属センサ１３を用いた比較的簡易な構成で、スキミング用磁気ヘッド５１が取り付けられたか否かを適切に検知することが可能になる。
【００７１】
特に、本形態では、金属センサ１３は、カード通過路８よりも上側に配置される凸部７ｃの中に配置されており、前後方向から見たときに、磁気ヘッド３と金属センサ１３とは、カード通過路８を挟むように配置されている。また、金属センサ１３は、その検知方向が上下方向に対して傾斜するように、かつ、その検知可能領域Ｒ１が前方に向かって広がるように配置されている。スキミング用磁気ヘッド５１は、前後方向から見たときに、磁気ヘッド３と重なるようにカード挿入部７の前面側に取り付けられるため、本形態では、金属センサ１３によって、スキミング用磁気ヘッド５１が取り付けられたか否かをより適切に検知することが可能になる。
【００７２】
また、本形態では、スキミング用磁気ヘッド５１がカード挿入部７の前面側に取り付けられて、金属センサ１３がスキミング用磁気ヘッド５１を検知すると、抜取り防止レバー５がカード通過路８を閉鎖した状態を維持して、ユーザによるカード２の挿入を阻止する。したがって、本形態では、スキミング用磁気ヘッド５１がカード挿入部７の前面側に取り付けられも、ユーザはカード２を挿入することができないため、スキミング自体を阻止することができる。
【００７３】
また、本形態では、カードリーダ１は、カードリーダ１の前方の人間の動きを検知するための赤外線センサ１２を備えており、スキミング装置５２がカード挿入部７の前面側に取り付けられると、スキミング装置５２によって、赤外線センサ１２の受光部１２ａの全部または一部が遮られる。また、本形態では、赤外線センサ１２が人間の動きを検知しない場合には、抜取り防止レバー５がカード通過路８を閉鎖した状態を維持する。したがって、スキミング装置５２は取り付けられたが、スキミング装置５２に何らかの細工が施されているために、金属センサ１３がスキミング装置５２を検知できない場合であっても、スキミング装置５２によって受光部１２ａの全部または一部が遮られているため、赤外線センサ１２は、人間の動きを検知しないか、あるいは、検知しにくくなる。そのため、この場合であっても、抜取り防止レバー５がカード通過路８を閉鎖した状態を維持して、ユーザによるカード２の挿入を阻止することが可能になる。したがって、本形態では、スキミング装置５２がカード挿入部７の前面側に取り付けられも、カード２の挿入を阻止することが可能になるため、スキミング自体を阻止することが可能になる。
【００７４】
なお、カード挿入部７の前面側にスキミング装置５２が取り付けられたとしても、赤外線センサ１２では、カード挿入部７の前面側にスキミング装置５２が取り付けられたのか、あるいは、カードリーダ１の前方に人間がいないだけなのかを判別することができない。すなわち、赤外線センサ１２では、カード挿入部７の前面側にスキミング装置５２が取り付けられたときに、スキミング装置５２が取り付けられたことを検知することはできないが、本形態のカードリーダ１は、金属センサ１３を備えているため、金属センサ１３によって、カード挿入部７の前面側にスキミング装置５２が取り付けられたときに、スキミング装置５２が取り付けられたことを検知することができる。
【００７５】
本形態では、赤外線センサ１２と金属センサ１３とが、カード通過路８を挟むように配置され、金属センサ１３の検知可能領域Ｒ１と、赤外線センサ１２の検知可能領域Ｒ２とが重なっている。そのため、スキミング用磁気ヘッド５１が取り付けられやすい箇所に検知可能領域Ｒ１、Ｒ２を設定することができる。したがって、スキミング用磁気ヘッド５１を有するスキミング装置５２が比較的小さい場合であっても、スキミング装置５２が取り付けられたときには、赤外線センサ１２は人間の動きを検知しにくくなり、かつ、金属センサ１３はスキミング装置５２を検知しやすくなる。その結果、本形態では、赤外線センサ１２と金属センサ１３とによって、犯罪者の不正行為をより効果的に防止することが可能になる。
【００７６】
本形態では、金属センサ１３は、不透明な樹脂材料で形成されたカード挿入部７の凸部７ｃの内部に配置されている。そのため、犯罪者は、金属センサ１３が設置されていることに気付きにくくなる。また、犯罪者が金属センサ１３を破壊するのを防止しやすくなる。さらに、犯罪者や利用者の上側からの視界が凸部７ｃによって遮られるため、赤外線センサ１２が発見されにくくなる。
【００７７】
本形態では、中心軸ＣＬの軸方向における略中央に配置される中央コア部２１ａに検出用コイル２４が巻回され、中心軸ＣＬの軸方向において中央コア部２１ａの両端側のそれぞれに配置される一対の軸端コア部２１ｂのそれぞれに一対の励磁用コイル２２、２３のそれぞれが巻回されており、金属センサ１３は、励磁用コイル２２が発生させる磁界φ１と、励磁用コイル２３が発生させる磁界φ２とのバランスに基づいて、異物の検知を行っている。そのため、本形態では、たとえば、特開２００３−２５５０５３号公報に記載されているように、金属材料を含む異物を高感度で検知することが可能になり、また、周囲の温度変動の影響を抑制した安定した異物の検知が可能になる。
【００７８】
（本形態の主な効果）
以上説明したように、本形態では、カードリーダ１は、カード挿入部７の前面側に金属材料を含む異物が取り付けられたことを検知するための金属センサ１３を備えている。また、本形態では、スキミング装置５２がカード挿入部７の前面側に取り付けられて、金属センサ１３がスキミング装置５２を検知すると、抜取り防止レバー５がカード通過路８を閉鎖した状態を維持して、ユーザによるカード２の挿入を阻止する。したがって、本形態では、スキミング装置５２がカード挿入部７の前面側に取り付けられも、ユーザはカード２を挿入することができないため、スキミング自体を阻止することができる。
【００７９】
また、本形態では、カードリーダ１は、カードリーダ１の前方の人間の動きを検知するための赤外線センサ１２を備えており、スキミング装置５２がカード挿入部７の前面側に取り付けられると、スキミング装置５２によって、赤外線センサ１２の受光部１２ａの全部または一部が遮られる。また、本形態では、赤外線センサ１２が人間の動きを検知しない場合には、抜取り防止レバー５がカード通過路８を閉鎖した状態を維持する。したがって、スキミング装置５２は取り付けられたが、スキミング装置５２に何らかの細工が施されているために、金属センサ１３がスキミング装置５２を検知できない場合であっても、スキミング装置５２によって受光部１２ａの全部または一部が遮られているため、赤外線センサ１２は、人間の動きを検知しないか、あるいは、検知しにくくなる。そのため、この場合であっても、抜取り防止レバー５がカード通過路８を閉鎖した状態を維持して、ユーザによるカード２の挿入を阻止することが可能になる。したがって、本形態では、スキミング装置５２がカード挿入部７の前面側に取り付けられも、カード２の挿入を阻止することが可能になるため、スキミング自体を阻止することが可能になる。このように、本形態では、赤外線センサ１２を用いた比較的簡易な構成で、スキミング自体を阻止することが可能になり、犯罪者の不正行為を防止することが可能になる。
【００８０】
なお、カード挿入部７の前面側にスキミング装置５２が取り付けられたとしても、赤外線センサ１２では、カード挿入部７の前面側にスキミング装置５２が取り付けられたのか、あるいは、カードリーダ１の前方に人間がいないだけなのかを判別することができない。すなわち、赤外線センサ１２では、カード挿入部７の前面側にスキミング装置５２が取り付けられたときに、スキミング装置５２が取り付けられたことを検知することはできないが、本形態のカードリーダ１は、金属センサ１３を備えているため、金属センサ１３によって、カード挿入部７の前面側にスキミング装置５２が取り付けられたときに、スキミング装置５２が取り付けられたことを検知することができる。
【００８１】
本形態では、赤外線センサ１２は、挿入口６の近傍に配置されている。そのため、カード挿入部７の前面側にスキミング装置５２が取り付けられたときに、スキミング装置５２によって、赤外線センサ１２の受光部１２ａが遮られやすくなる。特に、本形態では、磁気ヘッド３は、カード通過路８よりも下側に配置され、赤外線センサ１２は、カード通過路８よりも下側に配置されている。また、赤外線センサ１２は、左右方向において、磁気ヘッド３の配置位置と略同じ位置に配置されている。スキミング用磁気ヘッド５１は、上下方向および左右方向において、磁気ヘッド３の配置位置に対応するように取り付けられるため、本形態では、カード挿入部７の前面側にスキミング装置５２が取り付けられると、スキミング用磁気ヘッド５１によって、赤外線センサ１２の受光部１２ａがより確実に遮られやすくなる。したがって、カード挿入部７の前面側にスキミング装置５２が取り付けられると、赤外線センサ１２は、カードリーダ１の前方の人間の動きをより確実に検知しなくなる可能性が高くなる。その結果、カード２の挿入を阻止して、スキミング自体をより確実に阻止することが可能になる。
【００８２】
本形態では、金属センサ１３の検知可能領域Ｒ１と、赤外線センサ１２の検知可能領域Ｒ２とが重なっている。そのため、スキミング用磁気ヘッド５１が取り付けられやすい箇所に検知可能領域Ｒ１、Ｒ２を設定することができる。したがって、スキミング用磁気ヘッド５１を有するスキミング装置５２が比較的小さい場合であっても、スキミング装置５２が取り付けられたときには、赤外線センサ１２は人間の動きを検知しにくくなり、かつ、金属センサ１３はスキミング装置５２を検知しやすくなる。その結果、本形態では、赤外線センサ１２と金属センサ１３とによって、犯罪者の不正行為をより効果的に防止することが可能になる。
【００８３】
（スキミング装置が取り付けられたときのカードリーダの動作の変形例１）
上述した形態では、カード２が挿入されていない待機時に、抜取り防止レバー５はカード通過路８を閉鎖しているが、カード２が挿入されていない待機時に、抜取り防止レバー５がカード通過路８を開放していても良い。この場合には、カード挿入部７にスキミング装置５２が取り付けられて金属センサ１３がスキミング装置５２を検知すると、抜取り防止レバー５がカード通過路８を閉鎖して、ユーザによるカード２の挿入を阻止する。
【００８４】
（スキミング装置が取り付けられたときのカードリーダの動作の変形例２）
上述した形態では、抜取り防止レバー５がカード通過路８を閉鎖した状態を維持して、ユーザによるカード２の挿入を阻止することで、スキミング自体を阻止しているが、スキミング用磁気ヘッド５１によるカード２の磁気データの読取を妨害するための妨害ノイズを金属センサ１３で発生させることで、スキミング自体を阻止しても良い。
【００８５】
たとえば、金属センサ１３がスキミング装置５２を検知した場合に、スキミング用磁気ヘッド５１によるカード２の磁気データの読取を妨害するための妨害ノイズを金属センサ１３で発生させても良い。このように構成すると、金属センサ１３がスキミング装置５２を検知しているにもかかわらず、犯罪者によって抜取り防止レバー５が破壊されてしまい、ユーザによってカード２が挿入されてしまう場合や、金属センサ１３がスキミング装置５２を検知しているにもかかわらず、カードリーダ１が抜取り防止レバー５を備えていないためにユーザによってカード２が挿入されてしまう場合であっても、スキミング用磁気ヘッド５１での磁気データの適切な読取を阻止することが可能になり、スキミング自体を阻止することが可能になる。なお、この場合には、磁界φ１と磁界φ２とのバランスが大きく崩れて妨害ノイズが発生するように、一対の励磁用コイル２２、２３のそれぞれが励磁される。具体的には、この場合には、磁界φ１と磁界φ２とのバランスが大きく崩れるように、可変抵抗３３が調整される。これにより、磁界φ１と磁界φ２との間に磁束密度の差が生じ、得られた磁束密度の差分によって生じる磁界が妨害ノイズとなる。また、検出用コイル２４から妨害ノイズを発生させても良い。この場合は、検出用コイル２４へ電圧を加えて磁界を発生させ妨害ノイズを発生する。その際、カード２に記録される磁気データの正規の出力に近い一定の周波数を入力することで、スキミング装置５２のスキミング用磁気ヘッド５１による不正な磁気データの読み取りを効果的に妨害することができる。また、スキミング装置５２へ向けて妨害ノイズを発生させるように、一対の励磁用コイル２２、２３いずれかのコイルへ電圧を加えて磁界を発生させ妨害ノイズを発生するようにしてもよい。
【００８６】
また、たとえば、赤外線センサ１２で人間の動きが検知されていないときに、常時、金属センサ１３で妨害ノイズを発生させ、赤外線センサ１２で人間の動きが検知されたときに、金属センサ１３の妨害ノイズを停止させても良い。このように構成すると、カード挿入部７にスキミング装置５２が取り付けられて赤外線センサ１２の受光部１２ａが遮られているにもかかわらず、犯罪者によって抜取り防止レバー５が破壊されてしまい、ユーザによってカード２が挿入されてしまう場合や、赤外線センサ１２の受光部１２ａが遮られているにもかかわらず、カードリーダ１が抜取り防止レバー５を備えていないためにユーザによってカード２が挿入されてしまう場合等であっても、スキミング装置５２によって、赤外線センサ１２の受光部１２ａが遮られていれば、金属センサ１３は妨害ノイズを発生している。そのため、スキミング用磁気ヘッド５１によるカード２の磁気データの適切な読取を阻止することが可能になり、スキミング自体を阻止することが可能になる。
【００８７】
なお、これらの場合において、金属センサ１３は、磁気ヘッド３によるカード２の磁気データの適切な読取を阻止するような妨害ノイズを発生させても良い。この場合には、磁気ヘッド３でカード２の磁気データを適切に読み取ることができないため、以後のカードリーダ１の取引を中止することが可能になり、たとえば、カード２の暗証番号が犯罪者に取得されるのを防止することが可能になる。
【００８８】
さらに、金属センサ１３がスキミング装置５２を検知していないときであっても、たとえば、カード２をカードリーダ１内に挿入するときや、カード２をカードリーダ１から引き抜くときに、妨害ノイズを発生させても良い。具体的に一例を示すと、カードリーダ１にカード２が挿入されたことが検知される出力情報（たとえば、挿入されたカード２の磁気データを読み取る磁気ヘッド３から磁気データの読み取り出力をカードリーダ１が得た場合や、カードセンサ１０からカード２の挿入を検知した情報など）をカードリーダ１が得ることを契機に、金属センサ１３が妨害ノイズを発生させる。この場合には、金属センサ１３は磁気ヘッド３による磁気データの読み取りに影響が出ないレベルの妨害ノイズを発生させるようにしている。これよって、磁気ヘッド３の磁気データの読み取りには影響を与えずに、スキミング装置５２のスキミング用磁気ヘッド５１での磁気データの適切な読取を阻止することが可能になり、スキミング自体を阻止することが可能になる。仮に、スキミング装置５２が取り付けられた状態では、カード２が挿入され始めてから挿入を検知して出力される出力情報を得るまでに不正にスキミング用磁気ヘッド５１によってカード２の磁気データが数％読み取られたとしても、カード２が挿入されたことをカードリーダ１が検知したことを契機に妨害ノイズを発生させるため、スキミング用磁気ヘッド５１での磁気データの適切な読取を阻止することが可能になる。
【００８９】
（スキミング装置が取り付けられたときのカードリーダの動作の変形例３）
上述した形態では、金属センサ１３がスキミング装置５２を検知した場合に、抜取り防止レバー５がカード通過路８を閉鎖した状態を維持して、ユーザによるカード２の挿入を阻止している。この他にもたとえば、カード挿入部７にスキミング装置５２が取り付けられて金属センサ１３がスキミング装置５２を検知した場合に、カードリーダ１が上位装置に異常信号を送信しても良い。このように構成すると、金属センサ１３がスキミング装置５２を検知しているにもかかわらず、犯罪者によって抜取り防止レバー５が破壊されてしまい、ユーザによってカード２が挿入されてしまう場合や、金属センサ１３がスキミング装置５２を検知しているにもかかわらず、カードリーダ１が抜取り防止レバー５を備えていないためにユーザによってカード２が挿入されてしまう場合等であっても、上位装置からの制御指令に基づいて、以後のカードリーダ１の取引を中止することが可能になる。したがって、たとえば、カード２の暗証番号が犯罪者に取得されるのを防止することが可能になる。
【００９０】
また、赤外線センサ１２が人間の動きを検知していないにもかかわらず、センサ１０および／またはセンサ１１がカード２を検知したときに、カードリーダ１が上位装置に異常信号を送信しても良い。赤外線センサ１２が人間の動きを検知していないにもかかわらず、センサ１０および／またはセンサ１１がカード２を検知する場合には、カード挿入部７にスキミング装置５２が取り付けられていると判断することができる。したがって、このように構成すると、赤外線センサ１２の受光部１２ａが遮られているにもかかわらず、犯罪者によって抜取り防止レバー５が破壊されてしまい、ユーザによってカード２が挿入されてしまう場合や、赤外線センサ１２の受光部１２ａが遮られているにもかかわらず、カードリーダ１が抜取り防止レバー５を備えていないためにユーザによってカード２が挿入されてしまう場合等であっても、上位装置からの制御指令に基づいて、以後のカードリーダ１の取引を中止することが可能になり、その結果、たとえば、カード２の暗証番号が犯罪者に取得されるのを防止することが可能になる。
【００９１】
（スキミング装置が取り付けられたときのカードリーダの動作の変形例４）
上述した形態では、金属センサ１３が金属部材を検知した場合には、たとえ、赤外線センサ１２が人間の動きを検知しても、抜取り防止レバー５がカード通過路８を閉鎖した状態を維持している。この他にもたとえば、金属センサ１３が金属部材を検知した場合であっても、赤外線センサ１２が人間の動きを検知した場合には、抜取り防止レバー５がカード通過路８を開放しても良い。このように構成すると、カード挿入部７の前面側にスキミング装置５２が取り付けられていないにもかかわらず、金属センサ１３がユーザの指輪や腕時計等を検知してしまうような場合であっても、カードリーダ１でカード２の磁気データの読取や記録を行うことが可能になる。すなわち、カードリーダ１が赤外線センサ１２を備えていると、金属センサ１３で誤検知が発生しても、カードリーダ１でカード２の磁気データの読取や記録を行うことが可能になる。
【００９２】
（他の実施の形態）
上述した形態および変形例は、本発明の好適な形態の一例ではあるが、これに限定されるものではなく本発明の要旨を変更しない範囲において種々変形実施が可能である。
【００９３】
上述した形態では、カードリーダ１は赤外線センサ１２を備えているが、カードリーダ１は赤外線センサ１２を備えていなくても良い。この場合であっても、金属センサ１３がスキミング装置５２を検知したときに、抜取り防止レバー５がカード通過路８を閉鎖した状態を維持して、ユーザによるカード２の挿入を阻止することが可能になり、スキミング自体を阻止することが可能になる。また、この場合であっても、金属センサ１３がスキミング装置５２を検知したときに、金属センサ１３で妨害ノイズを発生させることで、スキミング自体を阻止することが可能になる。あるいは、この場合であっても、金属センサ１３がスキミング装置５２を検知したときに、カードリーダ１が上位装置に異常信号を送信することで、上位装置からの制御指令に基づいて、以後のカードリーダ１の取引を中止することが可能になり、その結果、たとえば、カード２の暗証番号が犯罪者に取得されるのを防止することが可能になる。
【００９４】
上述した形態では、カード挿入部７に凸部７ｃが形成されているが、カード挿入部７に凸部７ｃが形成されなくても良い。この場合には、たとえば、金属センサ１３は、突出部７ａの内部の前端側に配置される。また、上述した形態では、金属センサ１３は、中心軸ＣＬの軸方向が上下方向に対して傾斜するように配置されているが、金属センサ１３は、中心軸ＣＬの軸方向が上下方向と略平行になるように配置されても良い。
【００９５】
上述した形態では、金属センサ１３は、カード通過路８よりも上側に配置されているが、金属センサ１３は、カード通過路８よりも下側に配置されても良い。この場合には、たとえば、金属センサ１３は、中心軸ＣＬの軸方向が前後方向と略平行になるように配置される。また、上述した形態では、赤外線センサ１２は、カード通過路８よりも下側に配置されているが、赤外線センサ１２は、カード通過路８よりも上側に配置されても良い。また、上述した形態では、赤外線センサ１２は、左右方向において、磁気ヘッド３の配置位置と略同じ位置に配置されているが、左右方向における赤外線センサ１２の配置位置と、磁気ヘッド３の配置位置とがずれていても良い。
【００９６】
上述した形態では、金属センサ１３は、コア２１と、一対の励磁用コイル２２、２３と、検出用コイル２４とによって構成されているが、金属センサ１３は、コアと、このコアに巻回される励磁および検出兼用のコイルとによって構成されても良い。
【００９７】
上述した形態では、カードリーダ１は金属センサ１３を備えているが、カードリーダ１は金属センサ１３を備えていなくても良い。この場合であっても、スキミング装置５２によって赤外線センサ１２の受光部１２ａの全部または一部が遮られて、赤外線センサ１２が人間の動きを検知しない場合には、抜取り防止レバー５がカード通過路８を閉鎖した状態を維持する。そのため、この場合であっても、抜取り防止レバー５がカード通過路８を閉鎖した状態を維持して、ユーザによるカード２の挿入を阻止することが可能になり、スキミング自体を阻止することが可能になる。
【００９８】
また、この場合であっても、赤外線センサ１２で人間の動きが検知されていないときに、常時、金属センサ１３で妨害ノイズを発生させ、赤外線センサ１２で人間の動きが検知されたときに、金属センサ１３の妨害ノイズを停止させることで、スキミング自体を阻止することが可能になる。あるいは、この場合であっても、赤外線センサ１２が人間の動きを検知していないにもかかわらず、センサ１０および／またはセンサ１１がカード２を検知したときに、カードリーダ１が上位装置に異常信号を送信することで、上位装置からの制御指令に基づいて、以後のカードリーダ１の取引を中止することが可能になり、その結果、たとえば、カード２の暗証番号が犯罪者に取得されるのを防止することが可能になる。
【００９９】
上述した形態では、カードリーダ１は、１個の赤外線センサ１２を備えているが、カードリーダ１は、２個以上の赤外線センサ１２を備えていても良い。この場合には、たとえば、少なくとも１個の赤外線センサ１２が人間の動きを検知していない場合には、スキミング装置５２が取り付けられたと判断して、抜取り防止レバー５がカード通過路８を閉鎖した状態を維持する。
【０１００】
上述した形態では、カードリーダ１は、カード通過路８を閉鎖してカード２の挿入を阻止するカード挿入阻止部材として、抜取り防止レバー５を備えている。この他にもたとえば、カードリーダ１は、カード通過路８を閉鎖してカード２の挿入を阻止するカード挿入阻止部材として、カード通過路８の前端側を閉鎖する平板状または棒状のシャッタ部材等を備えていても良い。また、カードリーダ１は、カード挿入阻止部材を備えていなくても良い。また、上述した形態では、カードリーダ１はＩＣ接点４を備えているが、カードリーダ１はＩＣ接点４を備えていなくても良い。
【０１０１】
上述した形態では、カードリーダ１は、ユーザが手動でカード２を移動させながら、磁気データの読取や記録を行うディップ式のカードリーダであるが、本発明の構成が適用されるカードリーダは、カードの搬送機構を備えるカード搬送式のカードリーダであっても良い。
【符号の説明】
【０１０２】
１  カードリーダ
２  カード
３  磁気ヘッド
５  抜取り防止レバー（カード挿入阻止部材）
６  挿入口
７  カード挿入部
７ｃ  凸部
８  カード通過路
１０、１１  センサ（カードセンサ）
１２  赤外線センサ
１３  金属センサ
２１  コア
２１ａ  中央コア部
２１ｂ  軸端コア部
２２、２３  励磁用コイル
２４  検出用コイル
５１  スキミング用磁気ヘッド（異物）
ＣＬ  中心軸
Ｒ１  金属センサの検知可能領域
Ｒ２  赤外線センサの検知可能領域
Ｘ１  カードの挿入方向
Ｙ  カードの幅方向
Ｚ  カードの厚さ方向
【図１】
2011093340.tif 000003
【図２】
2011093340.tif 000004
【図３】
2011093340.tif 000005
【図４】
2011093340.tif 000006
【図５】
2011093340.tif 000007
【図６】
2011093340.tif 000008
【図７】
2011093340.tif 000009
【国際調査報告】
2011093340.tif 000010
2011093340.tif 000011
2011093340.tif 000012
2011093340.tif 000013
2011093340.tif 000014
2011093340.tif 000015
2011093340.tif 000016